(57)【要約】      （修正有）【課題】ＩＰ網に備えられる帯域管理装置および帯域管理方法に関し、網の構成や規模の如何にかかわらず、良好な通話品質が安定に維持されるようにする。【解決手段】呼の発着信拠点間において、伝送リンクの組み合わせを、個々のリンクの両端に配置された一対のルータの識別子に基づいて特定するリンク特定手段と、特定されたリンクの組み合わせの全ての区間に亘って通信情報の伝送に必要な帯域以上の余剰の帯域があるか否かの判別を行うと共に、その判別の結果が真であるときにこれらの余剰の帯域にその呼を割り付ける帯域制御手段と、帯域制御手段によって行われた判別の結果を呼の呼設定にかかわる中継装置に通知する呼制御手段とを備え、帯域制御手段は、特定されたリンクの組み合わせが複数ある場合、余剰の帯域が不足であると判定されたリンクに接続されたルータの識別子を含まないリンクの組み合わせを選定して呼を割り付ける。【選択図】図１
2011045101.tif 000002
【特許請求の範囲】
【請求項１】
通信情報がデータグラムの列として伝送されるべき呼が生起したときに、前記呼の発信元と着信先とをそれぞれ収容する拠点間において、その通信情報の伝送に適用されるべきリンクの組み合わせを、個々の前記リンクの両端に配置された一対のルータの識別子に基づいて特定するリンク特定手段と、
前記リンク特定手段によって特定された前記リンクの組み合わせの全ての区間に亘って前記通信情報の伝送に必要な帯域以上の余剰の帯域があるか否かの判別を行うと共に、その判別の結果が真であるときにこれらの余剰の帯域にその呼を割り付ける帯域制御手段と、
前記帯域制御手段によって行われた判別の結果を前記呼の呼設定にかかわる中継装置に通知する呼制御手段とを備え、
前記帯域制御手段は、前記特定されたリンクの組み合わせが複数ある場合、前記余剰の帯域が不足であると判定されたリンクに接続された前記ルータの識別子を含まないリンクの組み合わせを選定して前記呼を割り付ける
ことを特徴とする帯域管理装置。
【請求項２】
通信情報がデータグラムの列として伝送されるべき呼が生起したときに、前記呼の発信元と着信先とをそれぞれ収容する拠点間において、その通信情報の伝送に適用されるべきリンクの組み合わせを、個々の前記リンクの両端に配置された一対のルータの識別子に基づいて特定し、
特定された前記リンクの組み合わせの全ての区間に亘って前記通信情報の伝送に必要な帯域以上の余剰の帯域があるか否かの判別を行うと共に、その判別の結果が真であるときにこれらの余剰の帯域にその呼を割り付け、
前記特定されたリンクの組み合わせが複数ある場合、前記余剰の帯域が不足であると判定されたリンクに接続された前記ルータの識別子を含まないリンクの組み合わせを選定して前記呼を割り付け、
前記判別の結果を前記呼の呼設定にかかわる中継装置に通知する
ことを特徴とする帯域管理方法。
【発明の詳細な説明】
【技術分野】
【０００１】
本発明は、通信情報がデータグラムの列として伝送されるパケット交換網において、その通信情報の伝送に適用されるべきリンクの帯域を呼設定の手順に基づいて割り付ける帯域管理装置および帯域管理方法に関する。
【背景技術】
【０００２】
近年、インタネットは、急速に進展し、画像、音声および映像を含むマルチメディアの伝送の低廉化と高速化とに応じて、多く企業の重要な経営戦略の基盤となりつつある。また、このようなインタネットを実現する情報処理技術および通信技術は、研究・開発が積極的に進められ、ネットワークコンピューティング時代の進展に不可欠の基盤となりつつある。
さらに、これらの技術が適用された多くの企業ネットワーク（イントラネットやエクストラネットを含む。）では、電話系の呼の通話信号は、ＶｏＩＰが適用されることによってＩＰパケットのようなデータグラムの列として伝送されている。
【０００３】
図１４は、ＶｏＩＰが適用された網の構成例を示す図である。
図において、拠点６０-11と拠点６０-12とにはそれぞれＬＡＮ６１-11と６１-12(ここでは、簡単のため図示を省略する。）とが敷設され、これらのＬＡＮ６１-11、６１-12はそれぞれルータ６２-1の第一および第二のポートに接続される。ルータ６２-1の第三のポートは「リンク」である中継線６３-12を介してルータ６２-2の第一のポートに接続され、そのルータ６２-2の第二および第三のポートには、拠点６０-21、６０-22にそれぞれ敷設されたＬＡＮ（以下では、符号「６１-21」、「６１-22」を付して示すが、簡単のため、図示を省略する。）が接続される。ルータ６２-2の第四のポートは中継線６３-23を介してルータ６２-3の第一のポートに接続され、そのルータ６２-3の第二および第三のポートには、拠点６０-31、６０-32にそれぞれ敷設されたＬＡＮ（以下では、符号「６１-31」、「６１-32」を付して示すが、簡単のため、図示を省略する。）が接続される。
【０００４】
拠点６０-11では、ＬＡＮ６１-11には、エンドポイント７０-11とゲートキーパ８０-11とが接続される。
エンドポイント７０-11は、下記の要素から構成される。
・  ＬＡＮ６１-11に接続された端末処理部７１-11
・  端末処理部７１-11に縦続接続されたプロトコル変換部７２-11
・  プロトコル変換部７２-11に縦続接続され、かつ図示されない電話網（ＩＳＤＮやＰＢＸであってもよい。）あるいは電話機に接続されたインタフェース部７３-11
なお、以下では、上述した端末処理部７１-11、プロトコル変換部７２-11およびインタフェース部７３-11からなる集合については、「ゲートウエイ」と称し、符号「７０ＧＷ-11」を付して示す。
【０００５】
ゲートキーパ８０-11は、下記の要素から構成される。
・  ＬＡＮ６１-11に接続されたインタフェース部８１-11
・  そのインタフェース部８１-11に接続されたバスあるいはポートを有するプロセッサ８２-11
・  このプロセッサ８２-11によって適宜アクセスされるデータベース８３-11
また、データベース８３-11は、下記のアドレステーブル８４-11と状態管理テーブル８５-11とから構成される。
【０００６】
アドレステーブル８４-11には、図１５に示すように、インタフェース部７３-11に接続された電話機、もしくはそのインタフェース部７３-11に接続された電話網に収容された電話機と、ＬＡＮ６１-11に接続された端末の内、電話系の呼の発信元あるいは着信先となり得る端末（以下、単に「収容端末」という。）とに個別に付与された「電話番号」（収容端末が収容されたゲートウエイに付与されたユニークな局番を含み、あるいはその局番のみから構成されてもよい。）および「ＩＰアドレス」との対が予め格納される。
【０００７】
なお、このような収容端末には、電話機に限定されず、例えば、ファクシミリ端末、画像端末、データ端末、移動端末（ＩＭＴ−２０００等に準拠するものを含む。）その他のように、マルチメディア伝送サービスに供される多様な通信端末が該当し、かつ単に可聴周波数帯の通話信号を送受する端末には限定されない。
状態管理テーブル８５-11は、図１６に示すように、下記の情報の組み合わせからなるレコードの配列が格納されるべき記憶領域として構成される。
【０００８】
・  上述した「収容端末」の内、生起した電話系の発信呼が存続している収容端末を示す「発信元端末識別子」（電話番号とＩＰアドレスとの何れであってもよい。）
・  その「発信元端末識別子」で示される収容端末の通話相手に該当する収容端末（発信元の端末が収容された拠点以外の拠点に収容された収容端末であってもよい。）を示す「通話相手識別子」（電話番号とＩＰアドレスとの何れであってもよい。）
・  これらの「発信元端末識別子」および「通話相手識別子」でそれぞれ示される収容端末の状態と、該当する呼の種別（例えば、「発信呼」、「着信呼」等々）と、その呼を示す識別子とを示す「状態情報」
【０００９】
なお、拠点６０-12、６０-21、６０-22、６０-31、６０-32に備えられたハードウエアの構成については、拠点６０-11に備えられたハードウエアの構成と同じであるので、以下では、添え番号「１１」に代わる添え番号「１２」、「２１」、「２２」、「３１」、「３２」が付加された同じ符号を対応する要素に付与し、ここでは、その説明を省略する。
このような構成の従来例では、例えば、拠点６０-11に収容された収容端末が、拠点６０-21に収容された収容端末宛に発信することによって、電話系の呼が生起した場合には、各部は下記の通りに連係する。
【００１０】
拠点６０-11では、端末処理部７１-11は、ＬＡＮ６１-11を介してゲートキーパ８０-11宛に、発信元に該当する収容端末を示す「発信元端末識別子」と、着信先に該当する収容端末を示す「通話相手識別子」とを含み、かつ発信の許否の問い合わせを意味するメッセージ「ＡＲＱ」を送出する（図１７(1))。
ゲートキーパ８０-11（プロセッサ８２-11）では、状態管理テーブル８５-11のレコードとして、「状態情報」の値が「呼が存続していること」を意味し、かつ下記の条件の何れかを満たすレコードが存在していないか否かを判別する（図１７(2))。
【００１１】
・  「発信元端末識別子」フィールドまたは「通話相手識別子」フィールドの値が上述したメッセージ「ＡＲＱ」に含まれる「発信元端末識別子」に等しい。
・  「発信元端末識別子」フィールドまたは「通話相手識別子」フィールドの値が上述したメッセージ「ＡＲＱ」に含まれる「通話相手識別子」に等しい。
なお、以下、上述した判別については、「第一の判別」という。
【００１２】
さらに、ゲートキーパ８０-11は、下記の一連の処理を行う。
・  上述したメッセージ「ＡＲＱ」に含まれる通話相手識別子の値を所定の番号計画（または拠点６０-11〜６０-32に収容された個々の端末に対するＩＰアドレスの割り付けにかかわる規約）に基づいて区分し、その通話相手識別子で示される端末が収容されている拠点（以下、「対向拠点」という。）を示す「拠点識別子」を得る。
・  状態管理テーブル８５-11のレコードの内、「通話相手識別子」フィールドの値で示される拠点が上述した拠点識別子で示されるレコードの数ｃを求める。
・  その拠点識別子で示される拠点との間に形成された中継線６３-11を介してＩＰデータグラムの列として並行して伝送可能な通話信号の最大の数Ｎ（ここでは、既知の値として予め与えられると仮定する。）と、上述したレコードの数ｃとに対して下記の不等式が成立するか否かを判別する。なお、以下では、このような判別を「第二の判別」という。
【００１３】
ｃ≦Ｎ−１
さらに、ゲートキーパ８０-11は、上述した第一および第二の判別の結果の論理積を示すメッセージ「ＡＣＦ／ＡＲＪ」を端末処理部７１-11宛に送出し（図１７(3))、その論理積が真である場合に限って、状態管理テーブル８５-11のレコードの内、何れかの空のレコードに下記の処理を施す。
【００１４】
・  「状態情報」フィールドに規定の制御情報を付記することによって、そのレコード（以下、「予約レコード」という。）を捕捉する。
・  上述したメッセージ「ＡＲＱ」に含まれる「発信元端末識別子」を「発信元端末識別子」フィールドに格納する。
・  そのメッセージ「ＡＲＱ」に含まれる「通話相手識別子」を「通話相手識別子」フィールドに格納する。
【００１５】
端末処理部７１-11は、上述した論理積をメッセージ「ＡＣＦ／ＡＲＪ」として識別し、その論理積の値が偽である場合には、該当する呼の呼設定を中断する。
しかし、この論理積の値が真である場合には、端末処理部７１-11は、アドレステーブル８４-11のレコードの内、上述したメッセージ「ＡＲＱ」に含まれる「通話相手識別子」に対応するレコードの「ＩＰアドレス」の値（以下、「着信先ＩＰアドレス」という。）を参照することによって、着信先となるべき端末が収容された拠点６０-21に備えられたゲートキーパ８０-21のＩＰアドレスを取得する（図１７(4))。
なお、このようなゲートキーパ８０-21のＩＰアドレスは、例えば、下記の何れかの処理が行われることによって取得される。
【００１６】
・  ゲートキーパ８０-21は、上記の着信先ＩＰアドレスに対応するユニークなゲートキーパのＩＰアドレスが予め登録されたデータベースを有し、そのデータベースを参照することによってゲートキーパ８０-21のＩＰアドレスを取得する。
・  個々のゲートキーパ（ゲートキーパ８０-21を含む。）は配下に収容された端末のＩＰアドレスが予め登録されたデータベースを有し、かつゲートキーパ８０-21は、上記の着信先ＩＰアドレスを含む「問い合わせ」を意味するパケットを他のゲートキーパ宛にブロードキャストすると共に、そのパケットに対する応答として受信されたパケットの所定のフィールドからゲートキーパ８０-21のＩＰアドレスを抽出する。
【００１７】
しかし、このような処理については、公知の多様な通信手順が適用されることによって実現が可能であり、かつ本発明の特徴ではないので、ここでは、その説明を省略する。
端末処理部７１-11は、ＬＡＮ６１-11、ルータ６２-1、中継線６３-12、ルータ６２-2およびＬＡＮ６１-21を介してそのＩＰアドレスを有するゲートキーパ８０-21等と連係することによって、上述した「通話相手識別子」で示される端末に対する着信の許否を判別する。
なお、このような判別を実現するためにゲートキーパ８０-21によって行われる処理の手順については、本発明に関係がなく、かつ多様な公知技術の適用の下で実現が可能であるので、ここでは、その説明を省略する。
【００１８】
さらに、端末処理部７１-11は、この判別の結果が偽である場合には、該当する呼の呼設定を中断する。
しかし、この判別の結果が真である場合には、端末処理部７１-11は、ゲートキーパ８０-11と、拠点６０-21に備えられたゲートキーパ８０-21およびゲートウエイ７０ＢＷ-21と相互に、所定の制御情報をＩＰパケット（ＩＰデータグラム）として送受することによって呼設定を行う（図１７(8))。
【００１９】
さらに、該当する呼が完了呼(通話相手が応答し、その通話相手と発信元とが相互に通話信号を送受可能となった呼)となった場合には、その完了呼の通話信号は、拠点６０-11と拠点６０-21との間では、ルータ６２-11、中継線６３-12およびルータ６２-21を介してＩＰデータグラムの列として伝送される（図１７(9))。
なお、上述した呼設定の過程では、ゲートキーパ８０-11、８０-12は、アドレステーブル８４-11、８４-21を適宜参照し、かつ状態管理テーブル８５-11、８５-21の各フィールドの値をその呼設定の手順に基づいて更新する。
【００２０】
また、ゲートウエイ７０ＧＷ-11(７０ＧＷ-21)の各部は、発信元（着信先）がＬＡＮ６１-11(６１-21)に収容された端末に該当しない場合には、下記の処理を行う。
・  インタフェース部７３-11(７３-21)は、その発信元（着信先）に適応した信号方式に基づくシグナリング信号、レジスタ信号および通話信号の送受にかかわるインタフェースをとる。
【００２１】
・  プロトコル変換部７２-11(７２-21)は、これらのシグナリング信号、レジスタ信号および通話信号に所定の変換処理を可逆的に施すことによって、呼設定と通話信号の送受との過程において、インタフェース部７３-11(７３-21)を介して収容された発信元（着信先）がＬＡＮ６１-11(６１-21)に収容された端末と同等となる条件を維持する。
したがって、上述した電話系の呼の呼設定は、その呼の発信元と着信先とがそれぞれ収容された拠点６０-11、６０-21の間にルータ６２-1、６２-2を介して敷設された中継線の余剰の帯域がある場合に限って続行され、その呼の通話信号はこの中継線６３-12を介してＩＰデータグラムの列として伝送される。
【００２２】
また、中継線６３-12、６３-23の余剰の帯域は、例えば、ＶＰＮ（(Virtual Private Network)のように、これらの中継線６３-12、６３-23として帯域が狭いＷＡＮ(Wide Area Network)が適用された場合であっても、電話系の呼の通話信号の伝送に適用される帯域として確保される。したがって、このような通話品質は、上述した通話信号がベストエフォート型およびコネクションレス型の網を介して伝送されるにもかかわらず、安定に高く維持される。
【発明の概要】
【発明が解決しようとする課題】
【００２３】
ところで、上述した従来例では、新たに生起した電話系の完了呼の通話信号の伝送に適用されるべき帯域が中継線の余剰の帯域の範囲で確保できるか否かの判別は、下記の事項を前提として行われ、「その完了呼の発信元と着信先とが収容された拠点の組み合わせ毎に並行して存続し得る完了呼の数」と、「中継線の伝送容量に適合した最大の数（既述の数Ｎに等しい。）」との大小判別として行われていた。
【００２４】
・  個々の完了呼の通話信号の伝送に適用されるべき帯域の幅が同じであり、かつ一定である。
・  発信元と着信先とがそれぞれ収容された拠点の間に敷設された中継線の数が「１」であり、何れの中継線の伝送容量も一定である。
しかし、例えば、中継線６３-12を介してＩＰデータグラムの列として伝送される通話信号には、拠点６０-11、６０-21にそれぞれ配置された端末の間だけではなく、その拠点６０-11と拠点６０-12との何れか一方と、拠点６０-21、６０-22、６０-31、６０-32の何れかの拠点とにそれぞれ配置された端末の間で伝送されるべき通話信号も含まれ得る。
【００２５】
すなわち、中継線６３-12、６３-23のトラヒック量が必ずしも同じではないにもかかわらず、これらの中継線６３-12、６３-23の余剰の伝送帯域は何ら個別には識別されていなかった。
したがって、既述の第二の判別の基準は、新たに生起する完了呼の通話信号の伝送に要する帯域が自体的に中継線６３-12の余剰の帯域の範囲で確保され得るか否かの判別の基準としては、必ずしも的確ではなかった。
【００２６】
さらに、従来例では、中継線６３-12、６３-23の一方は他方に比べて著しく多くのトラヒックが集中して輻輳状態に陥り、そのために通話品質や伝送品質が劣化する可能性があった。
本発明は、網のトポロジーその他の構成や規模の如何にかかわらず、良好な通話品質や伝送品質が安定に維持される帯域管理装置、アドレス解決支援装置、帯域管理方法およびアドレス解決支援方法を提供することを目的とする。
【課題を解決するための手段】
【００２７】
図１は、本発明にかかわる帯域管理装置の原理ブロック図である。
本発明の帯域管理装置では、リンク特定手段１１は、通信情報がデータグラムの列として伝送されるべき呼が生起したときに、呼の発信元と着信先とをそれぞれ収容する拠点間において、その通信情報の伝送に適用されるべきリンクの組み合わせを、個々のリンクの両端に配置された一対のルータの識別子に基づいて特定する。帯域制御手段１２は、このようにして特定されたリンクの組み合わせの全ての区間に亘って通信情報の伝送に必要な帯域以上の余剰の帯域があるか否かの判別を行うと共に、その判別の結果が真であるときにこれらの余剰の帯域にその呼を割り付ける。呼制御手段１３は、上述した呼の呼設定にかかわる中継装置に既述の判別の結果を通知する。さらに、帯域制御手段１２は、特定されたリンクの組み合わせが複数ある場合、余剰の帯域が不足であると判定されたリンクに接続されたルータの識別子を含まないリンクの組み合わせを選定して呼を割り付ける。
【００２８】
すなわち、上述した呼設定の過程では、通信情報の伝送に適用される経路が形成されるべきリンクの全ての区間に関して、余剰の帯域の範囲でこれらの経路の確保が可能であることが確認され、その通信情報の伝送に必要な帯域が確保される。
したがって、網の構成や規模の如何にかかわらず、その網を構成するリンクの帯域管理が一元的に行われ、通話品質や伝送品質が良好に、かつ安定に維持される。
【００２９】
また、帯域制御手段１２は、呼設定の手順に基づいて与えられ、かつ通信情報の伝送に必要な帯域以上の帯域がリンク特定手段１１によって特定されたリンクにあるか否かを判別してもよい。
すなわち、データグラムの列である通信情報の伝送に適用されるべき帯域が呼設定の過程で変化し得る場合であっても、この呼の通話品質や伝送品質は、柔軟に、かつ良好に維持される。
【００３０】
図２は、本発明にかかわるアドレス解決支援装置の原理ブロック図である。
本発明のアドレス解決支援装置では、記憶手段２１には、通信情報がデータグラムの列として伝送されるべき呼の発信元となり得る端末２０-1〜２０-nに、個別に割り付けられた番号とアドレスとの対が格納される。アドレス解決支援手段２２は、これらの端末２０-1〜２０-nに個別に生起した呼の呼設定の過程で記憶手段２１を参照し、その呼設定の対象である呼の発信元と着信先との双方または何れか一方に割り付けられた番号とアドレスとの変換を行う。さらに、アドレス解決支援手段２２は、上述した呼設定の過程でその呼設定の対象である呼の発信元と連係し、その呼の通信情報の伝送に使用されるリンクを示す情報、またはそのリンクの特定に要する情報を求め、その情報をこのリンクの帯域管理を行う帯域管理装置２３に通知する。
【００３１】
すなわち、通信情報が伝送されるべき経路の帯域管理の実現に必要な支援が図られ、かつ並行してこれらのデータグラムに宛先を示す識別子として含まれるべきアドレスと、該当する呼の発信元や着信先に付与された番号との相互間の変換が一元的に行われるので、この通信情報は、データグラムの列として安定に伝送される。
【００３２】
また、網の構成や規模の如何にかかわらず、通信情報がデータグラムの列として伝送されるべき呼の呼設定と上述した帯域管理ならびにアドレス解決との関連性が粗に保たれ、かつサービス品質が低下することなくその網の構成の柔軟性が確保される。
本発明の帯域管理方法では、通信情報がデータグラムの列として伝送されるべき呼が生起したときに、呼の発信元と着信先とをそれぞれ収容する拠点間において、その通信情報の伝送に適用されるべきリンクの組み合わせが、個々のリンクの両端に配置された一対のルータの識別子に基づいて特定される。このリンクの組み合わせの全ての区間に亘って上述した通信情報の伝送に必要な帯域以上の余剰の帯域があるか否かの判別が行われ、その判別の結果が真であるときには、これらの余剰の帯域に該当する呼が割り付けられる。また、特定されたリンクの組み合わせが複数ある場合、余剰の帯域が不足であると判定されたリンクに接続されたルータの識別子を含まないリンクの組み合わせが選定され、その呼が割り付けられる。さらに、この判別の結果は、上述した呼の呼設定にかかわる中継装置に通知される。
【００３３】
すなわち、上述した呼設定の過程では、通信情報の伝送に適用される経路が形成されるべきリンクの全ての区間に関して、余剰の帯域の範囲でこれらの経路の確保が可能であることが確認され、その通信情報の伝送に必要な帯域が確保される。
【００３４】
したがって、網の構成や規模の如何にかかわらず、その網を構成する個々のリンクの帯域管理が一元的に行われ、通話品質や伝送品質が良好に、かつ安定に維持される。
本発明のアドレス解決支援方法では、通信情報がデータグラムの列として伝送されるべき呼の発信元となり得る端末２０-1〜２０-nに、個別に割り付けられた番号とアドレスとの対が予め与えられる。これらの端末２０-1〜２０-nに個別に生起した呼の呼設定の過程では、発信元と着信先との双方または何れか一方に割り付けられた番号とアドレスとの変換が行われ、かつその呼設定の対象である呼の発信元との連係の下で、この呼の通信情報の伝送に使用されるリンクを示す特定の情報、またはそのリンクの特定に要する特定の情報が求められる。さらに、この特定の情報はそのリンクの帯域管理を行う帯域管理装置２３に通知される。
【００３５】
すなわち、通信情報が伝送されるべき経路の帯域管理の実現に必要な支援が図られ、かつ並行してこれらのデータグラムに宛先を示す識別子として含まれるべきアドレスと、該当する呼の発信元や着信先に付与された番号との相互間の変換が一元的に行われるので、この通信情報は、データグラムの列として安定に伝送される。
【００３６】
また、網の構成や規模の如何にかかわらず、呼設定と上述した帯域管理およびアドレス解決との関連性が粗に保たれ、かつサービス品質が低下することなくその網の構成の柔軟性が確保される。
本発明の帯域管理装置の下位概念の発明では、帯域制御手段１２は、リンク特定手段１１によって特定されたリンクにノードとして配置されたルータの一部もしくは全てと連係することによって、そのリンクの帯域の内、通信情報がデータグラムの列として伝送されるべき呼に対して割り付けられるべき帯域を更新する。
【００３７】
すなわち、通信情報がデータグラムの列として伝送されるべき個々の経路の帯域は、これらの経路が形成されるリンクに配置されたルータが応答し得る最大の帯域の範囲で動的に確保される。
したがって、リンクのトラヒックの分布に対する柔軟な応答が可能となり、かつ通話品質や伝送品質が安定に高く維持される。
【００３８】
本発明の帯域管理装置に関連した第一の発明では、帯域制御手段１２は、生起した完了呼が個別に存続しているか否かの判別を所定の頻度で行い、その判別の結果が偽である完了呼の通信情報の伝送に適用されていた帯域を解放する。
すなわち、何らかの原因によって消滅した完了呼の識別が滞り、あるいは行われなかった場合であっても、その完了呼の通信情報の伝送に適用されていた個々のリンクの帯域は確実に解放される。
【００３９】
したがって、これらのリンクの帯域が有効に活用され、かつ通話品質、伝送品質およびサービス品質の無用な劣化が回避される。
本発明の帯域管理装置に関連した第二の発明では、帯域制御手段１２は、生起した完了呼の発信元と着信先との間で呼設定の手順に基づいて調整され、かつ通信情報の伝送に必要な帯域に、その完了呼に先行して優先的に割り付けられていた帯域を更新する。
【００４０】
すなわち、データグラムの列である通信情報の伝送に適用されるべき帯域が増減し、あるいはその呼が完了呼となった時点で通信情報の伝送に適用された帯域の幅が過大もしくは不足となり得る場合であっても、リンクの帯域は有効に、かつ安定に活用される。
したがって、通話品質、伝送品質およびサービス品質が安定に高く維持される。
【００４１】
本発明の帯域管理装置に関連した第三の発明では、帯域制御手段１２は、生起した完了呼の発信元と着信先との間で呼設定の手順に基づいて調整され、かつ通信情報の伝送に必要な帯域以上の余剰の帯域がリンク特定手段１１によって特定されたリンクにあるか否かの判別を行う。呼制御手段１３は、その判別の結果を該当する完了呼の呼設定にかかわる中継装置に通知する。
【００４２】
すなわち、通信情報の伝送に適用されるべき帯域が増減し、あるいはその呼が完了呼となった時点でこの通信情報の伝送に適用された帯域が過大もしくは不足となった場合でも、リンクの一元的な帯域管理の下で確度高く呼設定が行われる。
したがって、通信情報がデータグラムの列として伝送されるべき呼の呼設定は、トラヒックの分布と帯域管理との双方に柔軟に適応して安定に行われる。
【００４３】
本発明の帯域管理装置に関連した第四の発明では、リンク特定手段１１は、そのリンク特定手段１１によって特定された個々のリンクにノードとして配置されたルータが互いに交換するルーティング情報を共用し、これらのルーティング情報に基づいて通信情報の伝送に使用されるリンクを特定する。
すなわち、網の構成、規模および状況等に対して柔軟であって確実な応答が可能となり、かつ個々のリンクの帯域が適正に利用される。
【００４４】
したがって、サービス品質および伝送品質が安定に高く維持される。
本発明の帯域管理装置の第一の下位概念の発明では、帯域制御手段１２は、リンク特定手段１１によって特定されたリンクの状態に応じて、そのリンクにノードとして配置されたルータの全てあるいは一部に設定されているルーティング情報を更新し、かつ代替のリンクを確保する。
【００４５】
すなわち、障害の発生、輻輳状態その他の多様な事象に応じて、リンクの各区間において通信情報の伝送に適用されるべき帯域が柔軟に確保される。
したがって、サービス品質および伝送品質が安定に高く維持される。
本発明の帯域管理装置の第二の下位概念の発明では、帯域制御手段１２は、リンク特定手段１１によって特定されたリンクの余剰の帯域を単一の完了呼の通信情報の伝送に必要な帯域の倍数として算定する。
【００４６】
すなわち、通信情報がデータグラムの列として伝送されるべき呼に関する限り、帯域管理の過程では、通信情報の伝送に適用されるべき帯域と解放されるべき帯域とは、並行して存続する完了呼の数として識別される。
したがって、処理の簡略化が図られ、かつ帯域管理の効率化が図られる。
本発明のアドレス解決支援装置の第一の下位概念の発明では、アドレス解決支援手段２２は、生起した完了呼に関して外部から与えられた要求に応じて、その完了呼の発信元と着信先との双方もしくは何れか一方にこの完了呼が存続しているかを否かを問い合わせ、その結果を帯域管理装置２３に通知する。
【００４７】
すなわち、何らかの原因によって消滅した完了呼の識別が滞り、あるいは行われなかった場合であっても、その完了呼の通信情報の伝送に適用されていたリンクの帯域が解放されるべき契機が確実に得られる。
したがって、これらのリンクの帯域が有効に活用され、かつ通話品質、伝送品質およびサービス品質の無用な劣化が安定に回避される。
【００４８】
本発明のアドレス解決支援装置の第二の下位概念の発明では、アドレス解決支援手段２２は、生起した完了呼の発信元と着信先との双方もしくは何れか一方にその完了呼が存続しているか否かを問い合わせ、その結果を帯域管理装置２３に通知する。
すなわち、何らかの原因によって消滅した完了呼の識別が滞り、あるいは行われなかった場合であっても、その完了呼の通信情報の伝送に適用されていた個々のリンクの帯域が解放されるべき契機が確実に得られる。
【００４９】
したがって、これらのリンクの帯域が有効に活用され、かつ通話品質、伝送品質およびサービス品質の無用な劣化が安定に回避される。
本発明のアドレス解決支援装置に関連した第一の発明では、アドレス解決支援手段２２は、生起した完了呼の発信元と着信先との間で呼設定の手順に基づいて確定され、かつ通信情報の伝送に使用される帯域を取得し、その帯域を帯域管理装置２３に通知する。
【００５０】
すなわち、通信情報の伝送に適用されるべき帯域が増減し、あるいその呼が完了呼となった時点でこの通信情報の伝送に適用された帯域が過大もしくは不足となった場合でも、リンクの一元的な帯域管理の下で呼設定が確度高く行われる。
したがって、通信情報がデータグラムの列として伝送されるべき呼の呼設定は、トラヒックの分布と帯域管理との双方に柔軟に適応した処理として安定に行われる。
【００５１】
本発明のアドレス解決支援装置に関連した第二の発明では、アドレス解決支援手段２２は、通信情報の伝送に使用される帯域を完了呼の数として算定する。
すなわち、通信情報がデータグラムの列として伝送されるべき呼に関する限り、帯域管理の過程では、通信情報の伝送に適用されるべき帯域と解放されるべき帯域とは、並行して存続する完了呼の数として識別される。
【００５２】
したがって、処理の簡略化が図られ、かつ上述した通信情報の伝送に適用されるべきリンクの選定と帯域管理との効率化が図られる。
本発明のアドレス解決支援装置に関連した第三の発明では、アドレス解決支援手段２２は、生起した呼の通信情報の伝送に使用される帯域がその呼の呼設定の過程でリンクの特定に要する情報の一部として与えられ、その帯域を帯域管理装置２３に通知する。
【００５３】
すなわち、帯域管理装置２３によって確保され、かつ通信情報の伝送に適用されるべきリンクの帯域は、呼設定の過程で適宜設定され、あるいは更新され得る。
したがって、トラヒックの分布や網の構成のように、呼設定の過程で識別され得る事象や状態に対する柔軟な適応が可能となる。
【００５４】
本発明の帯域管理方法の下位概念の発明では、通信情報の伝送に必要であり、かつ呼設定の手順に基づいて与えられた帯域以上の帯域が既述の特定されたリンクにあるか否かが判別される。
すなわち、通信情報の伝送に適用されるべきリンクの個々の区間の帯域は、呼設定の過程で適宜設定され、あるいは更新される。
【００５５】
したがって、トラヒックの分布や網の構成のように、呼設定の過程で識別され得る事象や状態に対する柔軟な適応が可能となる。
【発明の効果】
【００５６】
上述したように本発明の帯域管理装置および帯域管理方法では、網の構成や規模の如何にかかわらず、その網を構成するリンクの帯域管理が一元的に行われ、通信情報がデータグラムの列として伝送されるべき呼の通話品質や伝送品質が良好に、かつ安定に維持される。
【００５７】
また、本発明の帯域管理装置では、通信情報がデータグラムの列として伝送されるべき呼の通信情報の伝送に適用されるべき帯域がその呼の呼設定の過程で変化し得る場合であっても、この呼の通話品質や伝送品質は、柔軟に、かつ良好に維持される。
さらに、本発明のアドレス解決支援装置およびアドレス解決支援方法では、網の構成や規模の如何にかかわらず、通信情報がデータグラムの列として伝送されるべき呼の呼設定、上述した帯域管理ならびにアドレス解決との関連性が粗に保たれ、かつサービス品質が低下することなくその網の構成の柔軟性が確保される。
【００５８】
また、本発明の帯域管理装置の下位概念の発明では、リンクのトラヒックの分布に対する柔軟な応答が可能となり、かつ通話品質や伝送品質が安定に高く維持される。
さらに、本発明の帯域管理装置に関連した第一の発明および本発明のアドレス解決支援装置の第一および第二の下位概念の発明では、リンクの帯域が有効に活用され、かつ通話品質、伝送品質およびサービス品質の無用な劣化が回避される。
【００５９】
また、本発明の帯域管理装置に関連した第二の発明では、通話品質、伝送品質およびサービス品質が安定に高く維持される。
さらに、本発明の帯域管理装置に関連した第三の発明および本発明のアドレス解決支援装置に関連した第一の発明では、通信情報がデータグラムの列として伝送されるべき呼の呼設定は、トラヒックの分布と帯域管理との双方に柔軟に適応して安定に行われる。
【００６０】
また、本発明の帯域管理装置に関連した第四の発明および本発明の帯域管理装置の第一の下位概念の発明では、サービス品質および伝送品質が安定に高く維持される。
さらに、本発明の帯域管理装置の第二の下位概念の発明では、処理の簡略化が図られ、かつ帯域管理の効率化が図られる。
【００６１】
また、本発明のアドレス解決支援装置に関連した第二の発明では、処理の簡略化が図られ、かつ上述した通信情報の伝送に適用されるべきリンクの選定と帯域管理との効率化が図られる。
さらに、本発明のアドレス解決支援装置に関連した第三の発明および本発明の帯域管理方法の下位概念の発明では、トラヒックの分布や網の構成のように、呼設定の過程で識別され得る事象や状態に対する柔軟な適応が可能となる。
【００６２】
したがって、これらの発明が適用された通信系では、保守および運用の過程で行われ得る増設、改修および移設その他の多様な作業が安価に、かつ効率的に達成され、総合的な信頼性が高く維持される。
【図面の簡単な説明】
【００６３】
【図１】本発明にかかわる帯域管理装置の原理ブロック図である。
【図２】本発明にかかわるアドレス解決支援装置の原理ブロック図である。
【図３】本発明の第一ないし第四の実施形態を示す図である。
【図４】経路情報テーブルの構成を示す図である。
【図５】帯域管理テーブルの構成を示す図である。
【図６】経路管理テーブルの構成を示す図である。
【図７】本発明の第一ないし第四の実施形態におけるゲートキーパの動作フローチャートである。
【図８】本発明の第一ないし第四の実施形態における帯域管理サーバの動作フローチャートである。
【図９】本発明の第一ないし第四の実施形態の動作を説明する図である。
【図１０】ゲートキーパ、帯域管理サーバおよびルータの間で引き渡されるメッセージの構成を示す図である。
【図１１】ルータと電話系の呼とに割り付けられる帯域の一例を示す図である。
【図１２】網の他の構成例を示す図である。
【図１３】ゲートキーパと帯域管理サーバとが併合されてなるノードの構成例を示す図である。
【図１４】ＶｏＩＰが適用された網の構成例を示す図である。
【図１５】アドレステーブルの構成を示す図である。
【図１６】状態管理テーブルの構成を示す図である。
【図１７】従来例の動作を説明する図である。
【発明を実施するための形態】
【００６４】
以下、図面に基づいて本発明の実施形態について詳細に説明する。
図３は、本発明の第一ないし第四の実施形態を示す図である。
図において、図１４に示すものと同じものについては、同じ符号を付与して示し、ここではその説明を省略する。
本実施形態の特徴は、下記の点にある。
・  拠点６０-11、６０-12、６０-21、６０-22、６０-31、６０-32には、それぞれ備えられたゲートキーパ８０-11、８０-12、８０-21、８０-22、８０-31、８０-32に代えて、ゲートキーパ８０Ａ-11、８０Ａ-12、８０Ａ-21、８０Ａ-22、８０Ａ-31、８０Ａ-32が備えられる。
【００６５】
・  拠点６０-11には、ＬＡＮ６１-11に接続された帯域管理サーバ３０-11が備えられる。
帯域管理サーバ３０-11は、下記の要素から構成される。
・  ＬＡＮ６１-11に接続されたインタフェース部３１-11
・  そのインタフェース部３１-11に接続されたバスあるいはポートを有するプロセッサ３２-11
・  このプロセッサ３２-11によって適宜アクセスされるデータベース３３-11
データベース３３-11は、下記の経路情報テーブル４１、帯域管理テーブル４２および経路管理テーブル４３から構成される。
【００６６】
経路情報テーブル４１は、図４に示すように、下記の各フィールドの組み合わせからなり、かつ生起し得る電話系の完了呼の発信元と着信先とが配置された拠点の対に個別に対応したレコードの集合として構成される。
・  該当する完了呼の発信元が配置された拠点を示す「発信拠点識別子」が予め格納された「発信拠点識別子」フィールド
・  その完了呼の着信先が配置された拠点を示す「着信拠点識別子」が予め格納された「着信拠点識別子」フィールド
・  この完了呼の通話信号の伝送に適用されるべき個々の中継線（リンク）の両端に配置された一対のルータの識別子（以下、「経路識別子」という。）の列（以下、「経路情報」という。）が予め格納された「経路情報」フィールド
帯域管理テーブル４２は、図５に示すように、下記の各フィールドの組み合わせからなり、かつ全てのルータに個別に対応したレコードの集合として構成される。
【００６７】
・  上述した完了呼の通話信号の伝送に適用され得る全ての経路が上述した「一位のルータの識別子」として予め格納された「経路識別子」フィールド
・  網の構成に基づいてその経路識別子で示される経路に割り付けられ得る上限の帯域幅（以下、「上限帯域幅」という。）が予め格納された「上限帯域」フィールド
・  この経路識別子で示される経路に実際に割り付けられ、かつ所定のトラヒック（ここでは、簡単のため通話信号のみであると仮定する。）の伝送に適用され得る最大の帯域幅（以下、「最大帯域幅」という。）が格納される「最大帯域」フィールド
・  その最大の帯域の内、実際に通話信号の伝送に適用されている帯域の帯域幅（以下、「カレント帯域幅」という。）が格納される「カレント帯域」フィールド
経路管理テーブル４３は、図６に示すように、下記の各フィールドの組み合わせからなるレコードの集合として構成される。
【００６８】
・  生起した完了呼を示す識別子（以下、「呼識別子」という。）が格納される「呼識別子」フィールド
・  その呼識別子で示される完了呼の通話信号の伝送に適用されるべき個々の中継線の両端に配置された一対のルータの識別子（以下、「経路識別子」という。）の列（以下、「経路情報」という。）が格納される「経路情報」フィールド
図７は、本発明の第一ないし第四の実施形態におけるゲートキーパの動作フローチャートである。
【００６９】
図８は、本発明の第一ないし第四の実施形態における帯域管理サーバの動作フローチャートである。
図９は、本発明の第一ないし第四の実施形態の動作を説明する図である。
図９において、番号(1)〜(9)は、それぞれ従来例に関して図１７(1)〜(9)に示された時点あるいは処理に対応する。
【００７０】
以下、図３〜図９を参照して本発明の第一の実施形態の動作を説明する。
本実施形態の特徴は、ゲートキーパ８０Ａ-11と帯域管理サーバ３０-11とが連係して行う下記の処理の手順にある。
なお、以下では、簡単のため、通話信号がＩＰデータグラムの列として伝送されるべき電話系の呼の発信元は従来例と同じく拠点６０-11に配置されるが、その呼の着信先は拠点６０-21ではなく拠点６０-31に配置されると仮定する。
【００７１】
拠点６０-11では、端末処理部７１-11は、発信に際して従来例と同様の処理を行うことによって、ＬＡＮ６１-11を介してゲートキーパ８０Ａ-11宛に、メッセージ「ＡＲＱ」を送出する（図９(1))。
ゲートキーパ８０Ａ-11では、そのメッセージ「ＡＲＱ」を識別すると、従来例と同様の処理を行うことによって、第一の判別を行う（図７(1)、図９(2))。
【００７２】
さらに、ゲートキーパ８０Ａ-11は、上述した第一の判別の結果が偽である場合には、該当する呼の呼設定が中断されるべきことを意味するメッセージ「ＡＲＪ」を端末処理部７１-11に与える（図７(2))。
しかし、このような第一の判別の結果が真である場合には、ゲートキーパ８０Ａ-11は、該当する呼を示す「呼識別子」に併せて、その呼の発信元および着信先の端末の電話番号（あるいはＩＰアドレス）を含む「帯域確認要求」（図１０(a))を生成し、ＬＡＮ６１-11を介して帯域管理サーバ３０-11宛にその「帯域確認要求」を送出する（図７(3)、図９(a))。
【００７３】
帯域管理サーバ３０-11(プロセッサ３２-11)は、この「帯域確認要求」を識別すると、その「帯域確認要求」に含まれる個々の電話番号（あるいはＩＰアドレス）を解析することによって、上述した発信元と着信先とがそれぞれ配置された拠点を特定し、これらの拠点を示す「発信拠点識別子」と「着信拠点識別子」とを取得する（図８(1)、図９(b))。
【００７４】
なお、このような電話番号（あるいはＩＰアドレス）の解析は、拠点６０-11、６０-12、６０-21、６０-22、６０-31、６０-32にそれぞれ配置された端末に対して電話番号（あるいはＩＰアドレス）が付与される際に適用され、かつ既知の情報として与えられた番号計画（あるいはＩＰアドレスの割り付けにかかわる規約）に基づいて行われる。
【００７５】
帯域管理サーバ３０-11は、網の構成に適合した経路情報テーブル４１のレコードの内、上述した「発信拠点識別子」と「着信拠点識別子」との対に対応したレコードを特定し（図８(2))、そのレコードの「経路情報」フィールドに格納されている経路情報Ｉを取得する（図８(3))。
帯域管理サーバ３０-11は、その経路情報Ｉに含まれる全ての経路識別子ｉを抽出し、これらの経路識別子ｉの値に応じて下記の一連の処理を個別に行う。
【００７６】
(1)  帯域管理テーブル４２のレコードの内、「経路識別子」フィールドの値が上述した経路識別子ｉであるレコードを特定し、そのレコードの「最大帯域フィールド」および「カレント帯域」フィールドにそれぞれ格納されている最大帯域幅ＢＷmiおよびカレント帯域幅ＢＷciを取得する（図８(4))。
(2)  単一の完了呼の通話信号の伝送に要する単位帯域幅ｂ（ここでは、簡単のため、既知の定数として予め与えられると仮定する。）に対して下記の不等式が成立するか否かを判別し（図８(5))、その判別の結果が偽である場合には、該当する経路識別子ｉに関連する処理を終了する。
【００７７】
ＢＷmi−ＢＷci≧ｂ
(3)  カレント帯域幅ＢＷciを下式に示す算術演算に基づいて更新し（図８(6))、該当する経路識別子ｉに関連する処理を終了する。
ＢＷci＝ＢＷci＋ｂ  ・・・(1)
さらに、帯域管理サーバ３０-11は、上述した経路識別子ｉの全ての値に応じて行われた何れの処理の過程でも、上式(1)に示す算術演算に基づくカレント帯域幅ＢＷciの更新が行われた否かの判別（以下、「余剰帯域判別」という。）を行う（図８(7))。
【００７８】
帯域管理サーバ３０-11は、この余剰帯域判別の結果が偽である場合には、既述の通りに帯域管理テーブル４１の「最大帯域」フィールドおよび「カレント帯域」フィールドに施された処理を無効化する（図８(8))。
しかし、その余剰帯域判別の結果が真である場合には、帯域管理サーバ３０-11は、該当する呼の呼識別子と上述した経路情報Ｉとの対を経路管理テーブル４３の空のレコードに格納する（図８(9))。
【００７９】
さらに、帯域管理サーバ３０-11は、ＬＡＮ６１-11を介してゲートキーパ８０Ａ-11宛に、上述した余剰帯域判別の結果を示す「帯域確認通知」（図１０(b))を送出する（図８(10)、図９(c))。
ゲートキーパ８０Ａ-11は、その「帯域確認通知」に含まれる余剰帯域判別の結果を示すメッセージ「ＡＣＦ／ＡＲＪ」を端末処理部７１-11宛に送出する（図７(4)、図９(3))。
【００８０】
なお、該当する呼が完了呼となるためにゲートキーパ８０Ａ-11、状態管理テーブル８５-11および拠点６０-31に備えられた装置の各部が連係して行われる処理（図９(4)〜(8))については、基本的に従来例と同じであるので、ここでは、その説明を省略する。
さらに、このような完了呼の通話信号は、ＬＡＮ６１-11、６１-31の間では、ルータ６２-1、中継線６３-12、ルータ６２-2、中継線６３-23およびルータ６２-3を介してＩＰデータグラムの列として伝送される（図９(9))。
【００８１】
また、この完了呼の終話は（ここでは、簡単のため、発信元の主導の下で行われると仮定する。）端末処理部７１-11によって識別され（図９(d))、その端末処理部７１-11は、ＬＡＮ６１-11を介してゲートキーパ８０Ａ-11宛にその完了呼の呼識別子を含むメッセージ「ＤＲＱ」を送出する（図９(e))。
ゲートキーパ８０Ａ-11は、このメッセージ「ＤＲＱ」に含まれる呼識別子を含む「帯域解放要求」（図１０(c))を生成し、かつＬＡＮ６１-11を介して帯域管理サーバ３０-11宛に、その「帯域解放要求」を送出する（図７(5)、図９(f))。
【００８２】
帯域管理サーバ３０-11は、この「帯域解放要求」を識別すると、経路管理テーブル４３のレコードの内、「呼識別子」フィールドの値が上述「帯域解放要求」に含まれる呼識別子に等しいレコードを特定し、そのレコードの「経路情報」フィールドに格納された「経路情報」を取得した後に、このレコードを解放する（図８(11)、(12))。
さらに、帯域管理サーバ３０-11は、帯域管理テーブル４２のレコードの内、「経路識別子」フィールドの値がこの「経路識別子」に含まれる全てのレコードを特定し、そのレコードの「カレント帯域」フィールドの値から既述の単位帯域ｂを減じる（図８(13)、図９(g))。
【００８３】
また、帯域管理サーバ３０-11は、このような処理を完了すると、その旨を示し、かつ該当する呼の呼識別情報を含む「帯域解放通知」（図１０(d))をＬＡＮ６１-11を介してゲートキーパ８０Ａ-11宛に送出する（図８(14)、図９(h)))。
ゲートキーパ８０Ａ-11は、上述した「帯域解放要求」を送出した時点からこの「帯域解放通知」が識別された時点に亘る期間の何れかの時点で、ＬＡＮ６１-11を介して端末処理部７１-11宛に、上述した終話に応じてそのゲートキーパ８０Ａ-11および帯域管理サーバ３０-11が行うべき処理が完了したことを示すメッセージ「ＤＣＦ」を送出する（図７(6))、図９(i))。
【００８４】
端末処理部７１-11は、このメッセージ「ＤＣＦ」を識別すると、規定の手順に基づいて着信先の端末が収容された拠点６０-31の各部と連係することによって、資源の解放を含む終話処理を行う（図９(j))。
なお、このような終話処理の手順は、本発明の特徴ではなく、多様な公知技術の適用の下で実現が可能であるので、ここではその詳細な説明を省略する。
【００８５】
すなわち、電話系の呼の発信元と着信先とが配置された拠点の組み合わせの如何にかかわらず、その呼の通話信号がＩＰデータグラムの列として伝送されるべき経路に該当する全ての中継線に関して、個別に余剰の帯域の範囲でその通話信号の伝送が可能であることが確認された場合に限って、この呼の呼設定が続行され、このような通話信号の伝送に適用された個々の中継線の帯域は該当する呼の終話に際して自動的に、かつ確実に解放される。
【００８６】
したがって、本実施形態によれば、網のトポロジおよび規模の如何にかかわらず、例えば、図１１に一点鎖線で示すように、電話系の呼の通話信号の伝送に適用されるべき帯域が柔軟に、かつ安定に確保され、通話品質が高く維持される。
なお、本実施形態では、帯域管理サーバ３０-11が備えられた拠点６０-11に発信元である端末が配置され、その拠点６０-11に配置されたゲートキーパ８０Ａ-11が主として帯域管理サーバ３０-11と連係することによって、その端末に生起した完了呼の通話信号の伝送に適用されるべき帯域が確保されている。
【００８７】
しかし、本発明はこのような構成に限定されず、帯域管理サーバ３０は、既述の処理に等価な処理を実現に要する制御情報がルータ６２-1〜６２-3および中継線６３-12、６３-23を介して確実に送受される限り、着信先の端末が配置された拠点と、発信先および着信先の双方が配置されていない拠点との何れに備えられてもよい。
【００８８】
また、本実施形態では、個々の中継線の余剰の帯域が通話信号の伝送に適用されるべき帯域の確保が可能な程度に広いか否かの判別は、「何れの完了呼に関しても、発信元および着信先の加入者クラスその他の属性の如何にかかわらず、通話信号の情報量とその通話信号の伝送に適用されるべき帯域とが一定であること」を前提として、既述の単位帯域幅ｂが適用された簡便な算術演算として実現されている。
【００８９】
しかし、このような判別は、例えば、下記の何れの形態で実現されてもよい。
・  既述の「最大帯域」および「カレント帯域」の何れもが上述した単位帯域幅ｂで正規化されることによって得られた「完了呼の数」として表され、その単位帯域幅ｂに代えて定数「１」が適用されることによってさらに処理の簡略化が図られる。
・  上記の加入者クラスその他の属性に応じて、例えば、端末処理部７１が上記の単位帯域幅ｂを適正な値に設定し、その値を既述のメッセージ「ＡＲＱ」および「帯域確認要求」としてゲートキーパ８０Ａや帯域管理サーバ３０に引き渡されることによって、所望のサービス品質や伝送品質が確度高く達成される。
【００９０】
・  発信元と着信先との間で呼設定の手順に基づいて行われるネゴーシエーションの過程で実際に通話信号の伝送に適用されるべき帯域幅が確定され、その帯域幅が上述した単位帯域幅ｂと同様にゲートキーパ８０Ａや帯域管理サーバ３０に引き渡されることによって、これらの発信元と着信先との性能その他の状況に応じた適正やサービス品質や伝送品質が達成され、かつ個々の中継線の余剰の伝送帯域の有効利用が図られる。
【００９１】
以下、図３〜図９を参照して本発明の第二の実施形態の動作を説明する。
本実施形態の特徴は、帯域管理サーバ３０-11が既述の「帯域確認要求」を識別したときに行う下記の処理の手順にある。
帯域管理サーバ３０-11は、この「帯域確認要求」を識別すると、既述の第一の実施形態と同様に下記の処理を行う。
【００９２】
・  該当する呼の発信元と着信先とがそれぞれ配置された拠点を特定し、これらの拠点を示す「発信拠点識別子」と「着信拠点識別子」とを取得する（図９(b)、図８(1))。
・  経路情報テーブル４１のレコードの内、これらの「発信拠点識別子」と「着信拠点識別子」との対に対応したレコードを特定し、そのレコードの「経路情報」フィールドに格納されている「経路情報」を取得する（図８(2)、(3))。
【００９３】
さらに、帯域管理サーバ３０-11は、その「経路情報」に含まれる全ての経路識別子ｉを取得し、これらの経路識別子ｉの値に応じて下記の一連の処理を行う。
(a)  帯域管理テーブル４２のレコードの内、「経路識別子」フィールドの値が上述した「経路識別子」ｉであるレコードを特定し、そのレコードの「上限帯域」フィールド、「最大帯域フィールド」および「カレント帯域」フィールドにそれぞれ格納されている上限帯域幅ＢＷui、最大帯域幅ＢＷmiおよびカレント帯域幅ＢＷciを取得する（図８(4))。
【００９４】
(b)  単一の完了呼の通話信号の伝送に要する単位帯域幅ｂ（ここでは、簡単のため、既知の定数として予め与えられると仮定する。）に対して下記の不等式が成立するか否かを判別し（図８(5))、その判別の結果が偽である場合には、下記の処理(d)以降の処理を行う。
【００９５】
ＢＷmi−ＢＷci≧ｂ
(c)  カレント帯域幅ＢＷciを下式に示す算術演算に基づいて更新し（図８(6))、該当する経路識別子ｉに関連する処理を終了する。
ＢＷci＝ＢＷci＋ｂ  ・・・(1)
(d)  規定の定数Ｃ(＞１)に対して下記の不等式が成立するか否かを判別し（図８(a))、その判別の結果が偽である場合には、該当する経路識別子ｉに関連する処理を終了する。
【００９６】
ＢＷui−ＢＷmi≧Ｃ・ｂ
(e)  最大帯域幅ＢＷmiを単位帯域幅ｂ以上大きな値α（≦ＢＷui）に更新し（図８(b))、かつ経路識別子ｉに含まれる個々のルータ識別子で示されるルータ宛に、「その値に最大帯域幅ＢＷmiを更新すべきこと」を意味する「帯域更新指令」（図１０(e))を送出した（図８(c)、図９(k))後に、上記の処理(c)を再び行う。
【００９７】
なお、上記の処理(a)〜(c)は既述の第一の実施形態における処理(1)〜(3)と同じであり、かつ本実施形態は後続する処理(d)、(e)が併せて行われる。
また、帯域管理サーバ３０-11は、上述した経路識別子ｉの全ての値に応じて行われた何れの処理の過程でも、上式(1)に示す算術演算に基づくカレント帯域幅ＢＷciの更新が行われたか否かの判別（以下、「余剰帯域判別」という。）を行い（図８(7))、該当する呼が完了呼となる過程では、既述の第一の実施形態と同様の処理を行う（図８(8)〜(10))。
このような完了呼の終話処理の過程では、帯域管理サーバ３０-11は、ゲートキーパ８０Ａ-11によって送出された「帯域解放要求」を識別すると、第一の実施形態と同様に下記の処理を行う。
【００９８】
・  経路管理テーブル４３のレコードの内、「呼識別子」フィールドの値が上述「帯域解放要求」に含まれる呼識別子に等しいレコードを特定し、そのレコードの「経路情報」フィールドに格納された経路情報に含まれる全ての経路識別子ｉを取得した後に、このレコードを解放する（図８(11)、(12))。
・  帯域管理テーブル４２のレコードの内、「経路識別子」フィールドの値がこれらの経路識別子ｉの何れかに等しい全てのレコード（以下、単に「復旧レコード」という。）を特定し、これらのレコードの「カレント帯域」フィールドの値から既述の単位帯域ｂを個別に減じる（図８(13)、図９(g))。
【００９９】
さらに、帯域管理サーバ３０-11は、個々の復旧対象レコードに下記の処理を併せて施す。
・  「最大帯域」フィールドと「カレント帯域」フィールドとにそれぞれ格納された最大帯域幅ＢＷmiとカレント帯域幅ＢＷciとの差が所定の閾値ｔｈ（≧ｂ）を上回るか否かの判別を行う（図８(d))。
【０１００】
・  その判別の結果が真である場合には、該当する「最大帯域」フィールドの値ＢＷmiから上述した閾値ｔｈを減じ（図８(e))、かつその「最大帯域」フィールドと同じレコードの「上限帯域」フィールドの値ＢＷuiにこの閾値ｔｈを加える（図８(f))。
・  経路識別子ｉに含まれる個々のルータ識別子で示されるルータ宛に、「最新の最大帯域に既述の最大帯域幅ＢＷmiを更新すべきこと」を意味する「帯域解放指令」を送出した（図９(m))後に、ＬＡＮ６１-11を介してゲートキーパ８０Ａ-11宛にその「帯域解放通知」を送出する（図８(g)、図９(h))。
【０１０１】
すなわち、ルータ６２-1〜６２-3が個々の経路として確保するべき帯域は、中継線６３-12、６３-23を介して並行してＩＰデータグラムの列として伝送されるべき通話信号の情報量に応じて適宜更新され、適正な値に維持される。
したがって、本実施形態によれば、第一の実施形態に比べてトラヒックの分布に柔軟に適応しつつ中継線６３-12、６３-23の帯域とルータ６２-1〜６２-3の処理量とが活用され、かつ伝送品質およびサービス品質が高く維持される。
【０１０２】
なお、本実施形態では、帯域管理テーブル４２の「上限帯域」フィールドの値が予め定数として設定されている。
しかし、本発明はこのような構成に限定されず、「経路識別子」フィールドに含まれる個々のルータ識別子に対応したルータと、これらのルータの間に形成される個々の伝送区間との状態（障害の発生、トラヒックの分布（輻輳状態を含む。）に整合する値に適宜更新されることによって、各ルータの余剰の帯域が有効に利用されてもよい。
【０１０３】
以下、図３〜図９を参照して本発明の第三の実施形態の動作を説明する。
本実施形態の特徴は、帯域管理サーバ３０-11が既述の「帯域確認通知」を送出した後に、その帯域管理サーバ３０-11とゲートキーパ８０Ａ-11とが連係して行う下記の処理の手順にある。
帯域管理サーバ３０-11は、既述の「帯域確認通知」に含まれる余剰帯域判別の結果が真である場合には、その「帯域確認通知」をゲートキーパ８０Ａ-11宛に送出した時点（図９(c))から、このゲートキーパ８０Ａ-11によって送出された「帯域解放通知」が識別されるする時点に至る期間（該当する呼が完了呼として存続するべき期間）に、該当する呼の呼識別子を含む「未終話確認要求」（図１０(f))を所定の頻度（周期）でゲートキーパ８０Ａ-11宛に送出する（図８(A)、図９(n))。
【０１０４】
ゲートキーパ８０Ａ-11は、その「未終話確認要求」を識別すると、この「未終話確認要求」に含まれる呼識別子を含むメッセージ「ＩＲＱ」を該当する呼の発信元に対応する端末処理部７１-11宛に送出する（図７(A)、図９(o))。
端末処理部７１-11は、このメッセージ「ＩＲＱ」に含まれる呼識別子で示される呼が完了呼として存続しているか否かの判別（以下、「未終話判別」という。）を行い（図９(p))、その未終話判別の結果を含むメッセージ「ＩＲＲ」をゲートキーパ８０Ａ-11宛に送出する（図７(B)、図９(q))。
【０１０５】
ゲートキーパ８０Ａ-11は、このメッセージ「ＩＲＲ」を帯域管理サーバ３０-11宛に「未終話確認応答」（図１０(g))として転送する（図９(r))。
帯域管理サーバ３０-11は、その「未終話確認応答」に含まれる未終話判定の結果が真である場合には、何ら特別な処理を行わない。
しかし、この未終話判別の結果が偽である場合には、帯域管理サーバ３０-11は、既述の「帯域解放要求」を識別した場合に行われる処理の手順と同じ手順（図９(g)、(m))に基づいて、該当する呼（完了呼）に割り付けられていた帯域を解放する（図９(s))。
【０１０６】
すなわち、個々の完了呼の通話信号の伝送に適用された帯域は、該当する完了呼の消滅（終話）が何らかの原因により正常に識別されなかった場合であっても、上述した頻度（周期）で確実に解放される。
したがって、本実施形態によれば、消滅した完了呼の通話信号の伝送に適用されるために割り付けられていた帯域が確度高く解放され、全ての中継線６３-12、６３−23の伝送帯域の有効利用が図られる。
【０１０７】
なお、本実施形態では、「未終話確認要求」は発信元の端末が収容された拠点６０-11に備えられたゲートキーパ８０Ａ-11宛に送出され、かつメッセージ「ＩＲＱ」はその発信元に対応するエンドポイント７０-11(端末処理部７１-11)宛に送出されている。
しかし、本発明はこのような構成に限定されず、着信先が収容された拠点６０-31でも既述の未終話確認が行われるべき場合には、図９に一点鎖線で示すように、上述した「未終話確認要求」に応じてゲートキーパ８０Ａ-31がエンドポイント８０Ａ-31(端末処理部７１-31)宛にメッセージ「ＩＲＱ」を送出し、かつ発信元と着信先とから個別に得られた未終話確認の結果の何れかが偽である場合に限って、該当する呼に割り付けられていた帯域の解放が行われてもよい。
【０１０８】
また、本実施形態では、帯域管理サーバ３０-11によって送出された「未終話確認要求」に応じてゲートキーパ８０Ａ-11がメッセージ「ＩＲＱ」を送出している。
しかし、本発明はこのような構成に限定されず、例えば、「帯域管理通知」に含まれる余剰帯域判別の結果が真であることが識別された時点からメッセージ「ＤＲＱ」が識別される時点に至る期間に限って、ゲートキーパ８０Ａ-11が所定の頻度（周期）で自立的にメッセージ「ＩＲＱ」を送出することによって、帯域管理サーバ３０-11の負荷の軽減が図られてもよい。
【０１０９】
以下、図３〜図９を参照して本発明の第四の実施形態の動作を説明する。本実施形態の特徴は、ゲートキーパ８０Ａ-11と帯域管理サーバ３０-11とが連係して行う下記の処理の手順にある。
既述の発信元に対応する端末処理部７１-11(エンドポイント７０-11)と、着信先に対応する端末処理部７１-31(エンドポイント７０-31)とは、呼設定の手順に基づいて適宜連係することによって、通話信号の伝送に適用されるべき帯域を増減する。
【０１１０】
なお、このような帯域の増減の基準としては、例えば、下記のものがある。
・  発信元および着信元の加入者クラスもしくはサービスオーダ
・  チャネル制御の手順に基づいて選定され、または更新された伝送方式や伝送品質
しかし、これらの帯域の増減が達成されるために各部が連係して行うべき呼設定、チャネル制御その他の処理については、本発明の特徴ではなく、かつ多様な公技術の適用の下で実現が可能であるので、ここではその説明を省略する。
【０１１１】
また、完了呼の通話信号の伝送に適用されるべき帯域として確保され、あるいは割り付けられた帯域の増加分δは、例えば、その呼を示す呼識別子と、発信元および着信先の端末の電話番号（あるいはＩＰアドレス）とを含む「帯域変更要求」として、端末処理部７１-11(エンドポイント７０-11)によってゲートキーパ８０Ａ-11宛に通知される。
【０１１２】
ゲートキーパ８０Ａ-11は、この「帯域変更要求」を識別すると、その「帯域変更要求」に含まれる帯域の増加分δと、呼識別子と、発信元および着信先の端末の電話番号（あるいはＩＰアドレス）とを含む「帯域修正要求」（図１０(c))を生成し、ＬＡＮ６１-11を介して帯域管理サーバ３０-11宛にその「帯域修正要求」を送出する（図７(C)、図９(t))。
【０１１３】
帯域管理サーバ３０-11は、この「帯域修正要求」を識別すると、その「帯域修正要求」に含まれる個々の電話番号（あるいはＩＰアドレス）を解析することによって、上述した発信元と着信先とがそれぞれ配置された拠点を特定し、これらの拠点を示す「発信拠点識別子」と「着信拠点識別子」とを取得する（図８(B)、図９(u))。
【０１１４】
帯域管理サーバ３０-11は、予め既知の情報として生成され、かつ網の構成に適合した経路情報テーブル４１のレコードの内、上述した「発信拠点識別子」と「着信拠点識別子」との対に対応したレコードを特定し（図８(C))、そのレコードの「経路情報」フィールドに格納されている経路情報Ｉを取得すると共に、その経路情報Ｉに含まれる全ての経路識別子ｉを取得する（図８(D))。
【０１１５】
帯域管理サーバ３０-11は、これらの経路識別子ｉの値に応じて下記の処理を個別に行う。
(1)  帯域管理テーブル４２のレコードの内、「経路識別子」フィールドの値が上述した経路識別子ｉであるレコードを特定し、そのレコードの「上限帯域」フィールド、「最大帯域フィールド」および「カレント帯域」フィールドにそれぞれ格納されている上限帯域幅ＢＷui、最大帯域幅ＢＷmiおよびカレント帯域幅ＢＷciを取得する（図８(E))。
【０１１６】
(2)  上述した増加分δに対して下記の不等式が成立するか否かを判別し（図８(F))、その判別の結果が偽である場合には、該当する経路識別子ｉに関連する処理を終了する。
ＢＷmi−ＢＷci≧δ
(3)  カレント帯域幅ＢＷciを下式に示す算術演算に基づいて更新し（図８(G))、該当する経路識別子ｉに関連する処理を終了する。
【０１１７】
ＢＷci＝ＢＷci＋δ
さらに、帯域管理サーバ３０-11は、上述した経路識別子ｉの全ての値に応じて行われた何れの処理の過程でも、上式(1)に示す算術演算に基づくカレント帯域幅ＢＷciの更新が行われたか否かの判別（以下、単に「帯域判別」という。）を行う（図８(H))。
【０１１８】
また、帯域管理サーバ３０-11は、この帯域判別の結果が偽である場合には、既述の通りに帯域管理テーブル４１の「最大帯域」フィールドおよび「カレント帯域」フィールドと経路管理テーブル４３とが更新された処理を無効化する（図８(I))。
さらに、帯域管理サーバ３０-11は、ＬＡＮ６１-11を介してゲートキーパ８０Ａ-11宛に、上述した帯域判別の結果を示す「帯域修正応答」（図１０(i))を送出する（図８(J)、図９(v))。
【０１１９】
ゲートキーパ８０Ａ-11は、上述した「帯域修正要求」を送出時点から所定の時間が経過する前にこの「帯域修正応答」が与えられた場合には、この「帯域修正要求」にかかわる処理を完結する。
しかし、その「帯域修正応答」が上述した所定の時間が経過する前に与えられなかった場合には、ゲートキーパ８０Ａ-11は、帯域管理サーバ３０-11宛に「帯域修正要求」を再び送出する（図７(C))。
【０１２０】
すなわち、電話系の完了呼の通話信号の伝送に適用されるべき帯域は、呼設定やチャネル制御の手順に応じて柔軟に、かつ自動的に更新される。
したがって、このような帯域の更新が何ら行われない第一ないし第三の実施形態に比べて、網の資源が有効に利用され、かつ多様なサービスの提供が可能となる。
【０１２１】
なお、上述した各実施形態では、発信元と着信先との間における通話信号の伝送に適用され得る中継線の組み合わせが単一となっている。
しかし、本発明はこのような構成に限定されず、例えば、図１２に示すように、上述した通話信号の伝送に適用される中継線の組み合わせが複数ある場合には、例えば、経路情報テーブル４１には、「発信拠点識別子」と「着信拠点識別子」との個々の対に対して、冗長な全ての中継線の組み合わせがその組み合わせに対応した経路情報（伝送区間である経路を示すユニークな「経路識別子」の列であり、個別に該当する経路の両端に配置されたルータの識別子を含んでもよい。）として登録され、これらの経路情報の内、余剰の伝送帯域が不足である中継線に接続されたルータのルータ識別子を含まない経路情報が所定のアルゴリズムに基づいて選定されることによって、冗長な網の構成に対する柔軟な適応が図られてもよい。
【０１２２】
また、このようなアルゴリズムとしては、例えば、以下に列記するものが適用されてもよい。
・  先行して余剰の帯域が十分であることが確認された中継線が優先的に適用される。
・  ホップ数がなるべく少ない中継線の組み合わせが優先的に適用される。
【０１２３】
・  伝送帯域の余剰分がなるべく大きい（輻輳の程度が小さい。）中継線の組み合わせが優先的に適用される。
さらに、上述した各実施形態では、帯域管理サーバ３０-11は、拠点６０-11、６０-12、６０-21、６０-22、６０-31、６０-32の何れかに収容された端末に生起した電話系の完了呼の通話信号の伝送に適用されるべき帯域の割り付けを一元的に行うにもかかわらず、拠点６０-11に備えられている。
【０１２４】
しかし、本発明はこのような構成に限定されず、帯域管理サーバ３０-11は、下記の何れかの条件を満たす装置あるいはノードとして備えられてもよい。
・  ゲートキーパ８０Ａ-11、８０Ａ-12、８０Ａ-21、８０Ａ-22、８０Ａ-31、８０Ａ-32およびルータ６２-1、６２-2、６２-3が併合されて構成される。
・  機能分散と負荷分散との双方もしくは何れか一方が図られてなる複数の装置として構成され、かつ拠点６０-11、６０-12、６０-21、６０-22、６０-31、６０-32の全てあるいは一部に配置される。
【０１２５】
・  単一のノード、あるいは図１３に示すように、ゲートキーパ８０Ａ-11と併合されることによって構成されたノードとして配置される。
また、上述した各実施形態では、経路情報テーブル４１には網の構成に適合した拠点識別子の対と経路情報とが予め登録され、これらの拠点識別子および経路情報は何ら変更されていない。
【０１２６】
しかし、本発明はこのような構成に限定されず、例えば、帯域管理サーバ３０-11がルータ６２-1〜６２-3と連係し、これらのルータ６２-1〜６２-3が相互に所定のルーティングプロトコル（ＲＩＰ(Routing Information Protocol)、ＯＳＰＦ(Open Shortest Path First)、ＢＧＰ４(Border Gateway Protocol Version4)等）に基づいて交換するルーティング情報に適合した値に、経路情報テーブル４１の内容が維持されることによって、網の構成に対する柔軟な適応が図られてもよい。
【０１２７】
さらに、中継線６３-12、６３-23やルータ６２-1〜６２-3の状態（輻輳の程度、障害等）に応じて経路情報テーブル４１の内容が適宜更新されることによって、通話信号の伝送に適用されるべき経路が柔軟に選定されてもよい。
また、上述した各実施形態では、電話系の完了呼の通話信号がＶｏＩＰに基づいて伝送されている。
【０１２８】
しかし、本発明はこのような構成に限定されず、上記の通話信号、もしくはこの通話信号のように伝送遅延時間の変動が許容されない通信情報が何らかのデータグラムの列として伝送されるならば、如何なる網にも適用可能である。
さらに、上述した各実施形態では、通話信号の伝送に適用されるべき帯域は、必ずしも帯域幅として与えられていない。
【０１２９】
しかし、このような通話信号の伝送に適用されるべき帯域は、例えば、中継線が波長分割多重化方式に基づく光伝送路として形成されている場合には、何れかの波長の光信号によって形成される伝送路として識別されてもよく、さらに、モバイルトランキングを実現するＡＡＬ２(ATM Adaptation Layer type 2）が適用された場合には、ＣＰＳパケットとして通話信号を示すデータグラムがパックされるべき順列や組み合わせを的確に示す情報として識別されてもよい。
【０１３０】
また、上述した各実施形態では、トランスポート層とネットワーク層とにそれぞれＴＣＰとＩＰとが適用されてなるインタネットやイントラネット（ＶＰＮ等のエクストラネットを含む。）に、本発明が適用されている。
しかし、本発明は、このような網に限定されず、電話系の呼の通話信号がデータグラムもしくはパケットの列として伝送されるならば、如何なる通信手順が適用された網にも同様に適用が可能である。
【０１３１】
さらに、上述した各実施形態では、ゲートキーパとエンドポイントとは、ＩＴＵ−Ｔ勧告Ｈ．３２３に準拠したメッセージを相互に引き渡している。
しかし、本発明はこのような構成に限定されず、帯域管理サーバとこれらのゲートキーパおよびエンドポイントとが既述の各実施形態と同様に連係することができるならば、上述したメッセージの名称および形式は如何なるものであってもよい。
【０１３２】
また、上述した各実施形態では、拠点６０-11、６０-12、６０-21、６０-22、６０-31、６０-32に個別にゲートキーパが配置されている。
しかし、本発明はこのような構成に限定されず、既述のメッセージや情報を相互に引き渡すことによって所望の帯域管理サーバ、ルータおよびエンドポイントとの連係が達成されるならば、ゲートキーパは、拠点６０-11、６０-12、６０-21、６０-22、６０-31、６０-32の一部もしくはこれらの拠点６０-11、６０-12、６０-21、６０-22、６０-31、６０-32以外の拠点に配置されてもよい。
【０１３３】
さらに、上述した各実施形態では、本発明の特徴は帯域管理の方法にあり、かつ既述のデータグラムの列のルーティングやそのルーティングを行うルータと帯域管理サーバ等との連係は多様な公知技術の適用の下でも実現が可能であるので、このような連係については記述されていない。
しかし、本発明では、例えば、帯域管理サーバによって最適な経路が選定された場合には、その帯域管理サーバと関連するサーバとの間で所定の情報（ルーティング情報等）を交換することによって、この最適な経路がルーティングに反映されてもよい。
【０１３４】
また、本発明は、上述した実施形態に限定されるものではなく、本発明の範囲において、多様な形態による実施形態が可能であり、かつ構成装置の一部もしくは全てに如何なる改良が施されてもよい。
以下、上述した各実施形態に開示された発明の構成を階層的・多面的に整理し、かつ付記項として順次列記する。
【０１３５】
（付記１）  通信情報がデータグラムの列として伝送されるべき呼が生起したときに、その通信情報の伝送に使用されるリンクを特定するリンク特定手段１１と、
前記リンク特定手段１１によって特定されたリンクの全ての区間に亘って前記通信情報の伝送に必要な帯域以上の余剰の帯域があるか否かの判別を行うと共に、その判別の結果が真であるときにこれらの余剰の帯域にその呼を割り付ける帯域制御手段１２と、
前記帯域制御手段１２によって行われた判別の結果を前記呼の呼設定にかかわる中継装置に通知する呼制御手段１３と
を備えたことを特徴とする帯域管理装置。
【０１３６】
（付記２）  付記１に記載の帯域管理装置において、
前記帯域制御手段１２は、
前記リンク特定手段１１によって特定されたリンクにノードとして配置されたルータの一部もしくは全てと連係し、そのリンクの帯域の内、呼に対して割り付けられるべき帯域を更新する
ことを特徴とする帯域管理装置。
【０１３７】
（付記３）  付記１または付記２に記載の帯域管理装置において、
前記帯域制御手段１２は、
生起した完了呼が個別に存続しているか否かの判別を所定の頻度で行い、その判別の結果が偽である完了呼の通信情報の伝送に適用されていた帯域を解放する
ことを特徴とする帯域管理装置。
【０１３８】
（付記４）  付記１ないし付記３の何れか１項に記載の帯域管理装置において、
前記帯域制御手段１２は、
生起した完了呼の発信元と着信先との間で呼設定の手順に基づいて調整され、かつ通信情報の伝送に必要な帯域に、その完了呼に先行して優先的に割り付けられていた帯域を更新する
ことを特徴とする帯域管理装置。
【０１３９】
（付記５）  付記１ないし付記３の何れか１項に記載の帯域管理装置において、
前記帯域制御手段１２は、
生起した完了呼の発信元と着信先との間で呼設定の手順に基づいて調整され、かつ通信情報の伝送に必要な帯域以上の余剰の帯域が前記リンク特定手段１１によって特定されたリンクにあるか否かの判別を行い、
前記呼制御手段１３は、
前記帯域制御手段１２によって行われた判別の結果をその判別が行われた完了呼の呼設定にかかわる中継装置に通知する
ことを特徴とする帯域管理装置。
【０１４０】
（付記６）  付記１ないし付記４の何れか１項に記載の帯域管理装置において、
前記帯域制御手段１２は、
呼設定の手順に基づいて与えられ、かつ通信情報の伝送に必要な帯域以上の帯域が前記リンク特定手段１１によって特定されたリンクにあるか否かを判別する
ことを特徴とする帯域管理装置。
【０１４１】
（付記７）  付記１ないし付記３の何れか１項に記載の帯域管理装置において、
前記リンク特定手段１１は、
そのリンク特定手段１１によって特定された個々のリンクにノードとして配置されたルータが相互に交換するルーティング情報を共用し、これらのルーティング情報に基づいて通信情報の伝送に使用されるリンクを特定する
ことを特徴とする帯域管理装置。
【０１４２】
（付記８）  付記１ないし付記７の何れか１項に記載の帯域管理装置において、
前記帯域制御手段１２は、
前記リンク特定手段１１によって特定されたリンクの状態に応じて、そのリンクにノードとして配置されたルータの全てあるいは一部に設定されているルーティング情報を更新し、かつ代替のリンクを確保する
ことを特徴とする帯域管理装置。
【０１４３】
（付記９）  付記１ないし付記８の何れか１項に記載の帯域管理装置において、
前記帯域制御手段１２は、
前記リンク特定手段１１によって特定されたリンクの余剰の帯域を単一の完了呼の通信情報の伝送に必要な帯域の倍数として算定する
ことを特徴とする帯域管理装置。
【０１４４】
（付記１０）  通信情報がデータグラムの列として伝送されるべき呼の発信元となり得る端末２０-1〜２０-nに、個別に割り付けられた番号とアドレスとの対が格納された記憶手段２１と、
前記端末２０-1〜２０-nに個別に生起した呼の呼設定の過程で前記記憶手段２１を参照し、その呼設定の対象である呼の発信元と着信先との双方または何れか一方に割り付けられた番号とアドレスとの変換を行うアドレス解決支援手段２２とを備え、
前記アドレス解決支援手段２２は、
前記呼設定の過程でその呼設定の対象である呼の発信元と連係することによって、その呼の通信情報の伝送に使用されるリンクを示す情報、またはそのリンクの特定に要する情報を求め、このリンクの帯域管理を行う帯域管理装置２３にその情報を通知する
ことを特徴とするアドレス解決支援装置。
【０１４５】
（付記１１）  付記１０に記載のアドレス解決支援装置において、
前記アドレス解決支援手段２２は、
生起した完了呼に関して外部から与えられた要求に応じて、その完了呼の発信元と着信先との双方もしくは何れか一方にこの完了呼が存続しているか否かを問い合わせ、その結果を前記帯域管理装置２３に通知する
ことを特徴とするアドレス解決支援装置。
【０１４６】
（付記１２）  付記１０に記載のアドレス解決支援装置において、
前記アドレス解決支援手段２２は、
生起した完了呼の発信元と着信先との双方もしくは何れか一方にその完了呼が存続しているか否かを問い合わせ、その結果を前記帯域管理装置２３に通知する
ことを特徴とするアドレス解決支援装置。
【０１４７】
（付記１３）  付記１０ないし付記１２の何れか１項に記載のアドレス解決支援装置において、
前記アドレス解決支援手段２２は、
生起した完了呼の発信元と着信先との間で呼設定の手順に基づいて確定され、かつ通信情報の伝送に使用される帯域を取得し、その帯域を前記帯域管理装置２３に通知する
ことを特徴とするアドレス解決支援装置。
【０１４８】
（付記１４）  付記１３に記載のアドレス解決支援装置において、
前記アドレス解決支援手段２２は、
通信情報の伝送に使用される帯域を完了呼の数として算定する
ことを特徴とするアドレス解決支援装置。
（付記１５）  付記１０ないし付記１３の何れか１項に記載のアドレス解決支援装置において、
前記アドレス解決支援手段２２は、
生起した呼の通信情報の伝送に使用される帯域がその呼の呼設定の過程でリンクの特定に要する情報の一部として与えられ、その帯域を前記帯域管理装２３に通知する
ことを特徴とするアドレス解決支援装置。
【０１４９】
（付記１６）  通信情報がデータグラムの列として伝送されるべき呼が生起したときに、その通信情報の伝送に使用されるリンクを特定し、
前記特定されたリンクの全ての区間に亘って前記通信情報の伝送に必要な帯域以上の余剰の帯域があるか否かの判別を行い、その判別の結果が真であるときにこれらの余剰の帯域にその呼を割り付け、
前記判別の結果を前記呼の呼設定にかかわる中継装置に通知する
ことを特徴とする帯域管理方法。
【０１５０】
（付記１７）  付記１６に記載の帯域管理方法において、
前記呼設定の手順に基づいて与えられ、かつ通信情報の伝送に必要な帯域以上の帯域が特定された前記リンクにあるか否かを判別する
ことを特徴とする帯域管理方法。
【０１５１】
（付記１８）  通信情報がデータグラムの列として伝送されるべき呼の発信元となり得る端末２０-1〜２０-nに、個別に割り付けられた番号とアドレスとの対が予め与えられ、
前記端末２０-1〜０-nに個別に生起した呼の呼設定の過程で、その呼設定の対象である呼の発信元と着信先との双方または何れか一方に割り付けられた番号とアドレスとの変換を行い、
前記呼設定の過程でその呼設定の対象である呼の発信元と連係することによって、その呼の通信情報の伝送に使用されるリンクを示す特定の情報、またはそのリンクの特定に要する特定の情報を求め、
前記リンクの帯域管理を行う帯域管理装置２３に前記特定の情報を通知する
ことを特徴とするアドレス解決支援方法。
【符号の説明】
【０１５２】
１１  リンク特定手段
１２  帯域制御手段
１３  呼制御手段
２０  端末
２１  記憶手段
２２  アドレス解決支援手段
２３  帯域管理装置
３０  帯域管理サーバ
３１，７３，８１  インタフェース処理部
３２，８２  プロセッサ
３３，８３  データベース
４１  経路情報テーブル
４２  帯域管理テーブル
４３  経路管理テーブル
６０  拠点
６１  ＬＡＮ
６２  ルータ
６３  中継線
７０  エンドポイント
７０ＧＷ  ゲートウエイ
７１  端末処理部
７２  プロトコル変換部
８０，８０Ａ  ゲートキーパ
８４  アドレステーブル
８５  状態管理テーブル
【図１】
2011045101.tif 000003
【図２】
2011045101.tif 000004
【図３】
2011045101.tif 000005
【図４】
2011045101.tif 000006
【図５】
2011045101.tif 000007
【図６】
2011045101.tif 000008
【図７】
2011045101.tif 000009
【図８】
2011045101.tif 000010
【図９】
2011045101.tif 000011
【図１０】
2011045101.tif 000012
【図１１】
2011045101.tif 000013
【図１２】
2011045101.tif 000014
【図１３】
2011045101.tif 000015
【図１４】
2011045101.tif 000016
【図１５】
2011045101.tif 000017
【図１６】
2011045101.tif 000018
【図１７】
2011045101.tif 000019